(57)【要約】【課題】  複数の無線検針装置を有する無線検針システムにおいて、他の無線検針装置による通信との重複に起因する無線検針装置の端末発呼による通信失敗が発生しにくい無線検針装置および無線検針システムを提供する。【解決手段】複数の無線子機１０３、１０４、１０５、１０６が端末発呼応による通信を行う場合に、各無線子機ごとに固有の時間を計時し、当該固有の時間経過後に通信を行うようにした。【選択図】  図１
2010108418.tif 000002
【特許請求の範囲】
【請求項１】
データを送受信する無線電波通信手段と、
前記無線電波通信手段における伝送エラーを検出する伝送エラー検出手段と、
前記伝送エラー検出手段が伝送エラーを検出した回数を計数する計数手段と、
前記計数手段が計数した回数が予め設定された回数以上かの判断を行う回数判別手段と、
固有の時間を計時する計時手段と
を具備し、
前記回数判別手段により前記予め設定された回数以上であると判断された場合には、前記計時手段により計時された固有の時間経過後に、前記無線電波通信手段から無線電波の送信を行うことを特徴とする無線検針装置。
【請求項２】
前記伝送エラー検出手段は、無線電波のキャリアを検出した場合に伝送エラーであると判断する無線電波キャリア検出手段を含むことを特徴とする請求項１記載の無線検針装置。
【請求項３】
使用電力、使用ガス、使用水のうちの少なくとも一つの使用量を検出する検出手段と、
前記検出手段により検出された使用量に関するデータならびに異常を示すデータを送信する第一の通信手段とを具備した計量装置と、
前記計量装置からのデータを受信する第二の通信手段と、
前記第二の通信手段にて受信されたデータを送信する第一の無線電波通信手段と、
前記第一の無線電波通信手段における伝送エラーを検出する伝送エラー検出手段と、
前記伝送エラー検出手段が伝送エラーを検出した回数を計数する計数手段と、
前記計数手段が計数した回数が予め設定された回数以上かを判断を行う回数判別手段と、
固有の時間を計時する計時手段と
を具備し、
前記回数判別手段により前記予め設定された回数以上であると判断された場合には、前記計時手段により計時された固有の時間経過後に、前記第一の無線電波通信手段から前記第二の通信手段にて受信されたデータを無線電波にて送信することを特徴とした無線検針装置と、
前記無線検針装置から送信された無線電波を受信する第二の無線電波通信手段を具備した無線親機と
を有することを特徴とする無線検針システム。
【発明の詳細な説明】
【技術分野】
【０００１】
本発明は被測定系の電力、ガス、水道等の使用量を検針する無線検針装置および無線検針システムに関する。
【背景技術】
【０００２】
従来より、一般家庭や工場、事業所の電力、ガス、水道等の使用量を検針する無線検針システムが普及してきている。当該無線検針システムは被測定系の使用量を測定するメータと、当該メータで検出された使用量データを特定小電力無線等にて通信する無線子機と、無線子機から特定小電力無線等にて送信された使用量データを受信する無線親機とを具備している。（例えば特許文献１）
【特許文献１】特開平６−２９１８６７公報（第７頁、図１）
【発明の開示】
【発明が解決しようとする課題】
【０００３】
近年、電気、ガス、水道の無線検針が行われるようになってきた。当該無線検針システムは被測定系の使用量を測定するメータと、当該メータで検出された使用量データを特定小電力無線等にて通信する無線子機と、当該無線子機から特定小電力無線等にて送信された使用量データを受信する無線親機とを具備している。当該無線親機は、上位伝送系である端末側網制御装置、電話回線、センタ装置側網制御装置を介してセンタ装置に接続されている。当該無線検針システムにおいて、メータにて作成された使用量データはセンタ装置からセンタ装置側網制御装置、電話回線、端末側網制御装置を介して送信される要求電文に呼応するいわゆるポーリングにより伝送される場合と、例えばメータが異常を検出した場合に、端末側網制御装置、電話回線、センタ装置側網制御装置を介してセンタ装置に電文を送信する端末発呼の２種類の通信方式によることが一般的である。また、別の無線検針システムでは端末側網制御装置、電話回線、センタ装置側網制御装置にかわり、ハンディターミナルが上位伝送系として構成されている場合もある。
【０００４】
しかし、当該無線親機１台に対し、複数の無線子機が接続されている場合、同時に複数台の無線子機が無線電波による端末発呼による通信を開始する場合がある、この場合、複数電文が同時に無線電波にて送信されるため、当該送信された電文は混線してしまい無線親機は判読不能となってしまう。このように通信失敗となった場合、無線子機は通信失敗を検出し再通信を行うが、複数台の無線子機が再度同時に通信を行い、通信失敗を繰り返してしまう場合があった。
【０００５】
本発明は前記問題点に鑑み、複数の無線検針装置を有する無線検針システムにおいて、他の無線検針装置による通信との重複に起因する無線検針装置の端末発呼による通信失敗が発生しにくい無線検針装置および無線検針システムを提供することを目的とする。
【課題を解決するための手段】
【０００６】
上記目的を達成するために、本発明による無線検針装置は、データを送受信する無線電波通信手段と、前記無線電波通信手段における伝送エラーを検出する伝送エラー検出手段と、前記伝送エラー検出手段が伝送エラーを検出した回数を計数する計数手段と、前記計数手段が計数した回数が予め設定された回数以上かの判断を行う回数判別手段と、固有の時間を計時する計時手段とを具備し、前記回数判別手段により前記予め設定された回数以上であると判断された場合には、前記計時手段により計時された固有の時間経過後に、前記無線電波通信手段から無線電波の送信を行うことを特徴とする。
【０００７】
また、上記目的を達成するために、本発明による無線検針システムは、使用電力、使用ガス、使用水のうちの少なくとも一つの使用量を検出する検出手段と、前記検出手段により検出された使用量に関するデータならびに異常を示すデータを送信する第一の通信手段とを具備した計量装置と、前記計量装置からのデータを受信する第二の通信手段と、前記第二の通信手段にて受信されたデータを送信する第一の無線電波通信手段と、前記第一の無線電波通信手段における伝送エラーを検出する伝送エラー検出手段と、前記伝送エラー検出手段が伝送エラーを検出した回数を計数する計数手段と、前記計数手段が計数した回数が予め設定された回数以上かを判断を行う回数判別手段と、固有の時間を計時する計時手段とを具備し、前記回数判別手段により前記予め設定された回数以上であると判断された場合には、前記計時手段により計時された固有の時間経過後に、前記第一の無線電波通信手段から前記第二の通信手段にて受信されたデータを無線電波にて送信することを特徴とした無線検針装置と、前記無線検針装置から送信された無線電波を受信する第二の無線電波通信手段を具備した無線親機とを有することを特徴とする。
【発明の効果】
【０００８】
本発明によれば、複数の無線検針装置を有する無線検針システムにおいて、他の無線検針装置による通信との重複に起因する無線検針装置の端末発呼による通信失敗が発生しにくい無線検針装置および無線検針システムを提供することができる。
【発明を実施するための最良の形態】
【０００９】
以下、本発明の実施例を説明する。
【００１０】
［実施例１］
本発明による無線検針システムの実施例１について図１を参照して説明する。
【００１１】
本無線検針システム１００は一例として上位伝送系１０１、親機１０２、子機１０３、１０４、１０５、１０６、計量器１０７、１０８、１０９、１１０からなるものとする。
【００１２】
１０１は上位伝送系で、電話回線を利用した自動検針システムの場合、コンピュータ等からなるセンタ装置、センタ装置側網制御装置、電話回線、端末側網制御装置等から構成されている。また、検針員等が個別検針を行う無線検針システムの場合、市販のハンディターミナル、ポケットコンピュータ、パーソナルコンピュータ等により構成されている。
【００１３】
１０２は親機で後述する各部により構成されており、上位伝送系１０１から送信された各種コマンド等の電文を子機１０３、１０４、１０５、１０６に対し無線電波にて送信し、計量器１０７、１０８、１０９、１１０にかかる検針データや異常を示す警報信号にかかる電文を子機１０３、１０４、１０５、１０６を介し無線電波により受信し、さらに、同電文を上位伝送系１０１に対し送信する。
【００１４】
親機１０２の内部構成を図２に示す。
【００１５】
２０１は通信部でＲＳ２３２Ｃ等の有線通信を行う通信回路により構成されており、後述する制御部２０６に制御され、上位伝送系１０１と通信を行う。
【００１６】
２０２は表示部で発光ダイオード等により構成されており、親機１０２と上位伝送系１０１間の通信状態、親機１０２と子機１０３、１０４、１０５、１０６間の通信状態等を表示する。
【００１７】
２０３は無線通信部で特定小電力無線等の無線電波送受信回路により構成されており、後述する制御部２０６に制御され、子機１０３、１０４、１０５、１０６との間で無線電波による通信を行う。
【００１８】
２０４は記憶部でＲＡＭのような半導体メモリにより構成されており、後述する制御部２０６により制御され、子機１０３、１０４、１０５、１０６を介して無線通信部２０３により受信された計量器１０７、１０８、１０９、１１０にかかる検針データを記憶する。
【００１９】
２０５は電源部で、リチウム電池等を有する電源回路により構成されており、親機１０２内の各部に電源電圧を供給する。
【００２０】
２０６は制御部で、マイクロコンピュータ等により構成されており、通信部２０１の通信動作、表示部２０２の表示動作、無線通信部２０３の通信動作、記憶部２０４の記憶動作の制御を行う。
【００２１】
上位伝送系１０１からのポーリングによる通信の場合、制御部２０６は、上位伝送系１０１から送信された各種コマンド等の通信電文を通信部２０１にて受信し、無線通信部２０３から無線電波にて子機１０３、１０４、１０５、１０６に対し送信する。また、計量器１０７、１０８、１０９、１１０にかかる、子機１０３、１０４、１０５、１０６から無線電波にて送信された検針データ等の通信電文を無線通信部２０３にて受信し、通信部２０１から上位伝送系１０１に対して送信する。
【００２２】
一方、計量器１０７、１０８、１０９、１１０の端末発呼による通信の場合、制御部２０６は、計量器１０７、１０８、１０９、１１０にかかる、子機１０３、１０４、１０５、１０６からの送信された無線電波による異常を示す警報信号にかかる通信電文を無線通信部２０３にて受信し、通信部２０１から上位伝送系１０１に対して送信する。
【００２３】
制御部２０６は、子機１０３、１０４、１０５、１０６から送信された電力、ガス、水道等の使用量に関する検針データを受信し、当該検針データを記憶部２０４に記憶させる。
【００２４】
１０３、１０４、１０５、１０６は無線検針装置としての子機で後述する各部により構成されており、上位伝送系１０１から親機１０２を介し、無線電波にて送信された各種コマンド等の電文をそれぞれ計量器１０７、１０８、１０９、１１０に対し送信し、検針データや異常を示す警報信号にかかる通信電文を計量器１０７、１０８、１０９、１１０から受信し、さらに、同電文を親機１０２に対し無線電波にて送信する。子機１０３の内部構成を図３に示す。なお子機１０４、１０５、１０６も同様の内部構成となっている。
【００２５】
３０１は無線通信部で特定小電力無線等の無線電波送受信回路により構成されており、後述する制御部３０６に制御され、親機１０２との間で無線電波による通信を行う。
【００２６】
３０２はキャリア検出部で、親機１０２が無線電波にて通信中であることを無線電波のキャリアを検出することにより検知する。
【００２７】
３０３は第一のタイマで水晶発振器によるカウンタ回路等により構成されており、第一の時間Ｔ１を計時する。なお、計時すべき当該第一の時間Ｔ１は後述する制御部３１０により指示される。
【００２８】
３０４は第二のタイマで水晶発振器によるカウンタ回路等により構成されており、第二の時間Ｔ２を計時する。なお、計時すべき当該第二の時間Ｔ２は後述する制御部３１０により指示される。
【００２９】
３０５は表示部で発光ダイオード等により構成されており、子機１０３と親機１０２間の通信状態、子機１０３と計量器１０７間の通信状態等を表示する。
【００３０】
３０６は有線通信部でカレントループ等のインタフェース回路等により構成されており、後述する制御部３１０に制御され、計量器１０７との間で通信を行う。
【００３１】
３０７は記憶部でＲＡＭのような半導体メモリにより構成されており、後述する制御部３１０により制御され、計量器１０７から送信された検針データ等を記憶する。
【００３２】
３０８はカウンタ部で、カウンタ回路等により構成されており、伝送エラー回数Ｎを計数する。
【００３３】
３０９は電源部で、リチウム電池等を有する電源回路により構成されており、子機１０３内の各部に電源電圧を供給する。
【００３４】
３１０は制御部で、マイクロコンピュータ等により構成されており、無線通信部３０１の通信動作、表示部３０５の表示動作、有線通信部３０６の通信動作、記憶部３０７４の記憶動作等の制御を行う。
【００３５】
上位伝送系１０１からのポーリングによる通信の場合、制御部３１０は、親機１０２から送信された各種コマンド等の通信電文を無線通信部３０１にて受信し、有線通信部３０６から計量器１０７に対し送信する。また、計量器１０７から送信された検針データ等の通信電文を有線通信部３０６にて受信し、無線通信部３０１から親機１０２に対して送信する。
【００３６】
一方、計量器１０７からの端末発呼による通信の場合、制御部３１０は、計量器１０７から送信された異常を示す警報信号や検針データ等の通信電文を有線通信部３０６にて受信し、無線通信部３０１から親機３０１に対して送信する。
【００３７】
制御部３１０は、計量器１０７から送信された電力、ガス、水道等の使用量に関する検針データを受信し、当該検針データを記憶部３０４に記憶させる。
【００３８】
１０７、１０８、１０９、１１０は計量器で後述する各部により構成されており、需要家の電気、ガス、水道等の使用量を計量し検針データとして、それぞれ子機１０３、１０４、１０５、１０６に対し送信する。計量器１０７の内部構成を図４に示す。なお計量器１０８、１０９、１１０も同様の内部構成となっている。
【００３９】
４０１は有線通信部でカレントループ等のインタフェース回路等により構成されており、後述する制御部４０６に制御され、子機１０３との間で通信を行う。
【００４０】
４０２は表示部で液晶表示装置等により構成されており、需要家にて使用された電気、ガス、水道等の使用量にかかる検針データを表示する。
【００４１】
４０３は検出部で、需要家の電気使用量を測定する電力使用量測定装置、需要家のガス使用量を測定するガス使用量測定装置、需要家の水道使用量を測定する水道使用量測定装置等により構成されており、後述する制御部４０６に対し需要家にて使用された電気、ガス、水道等の使用量にかかるデータを出力する。
【００４２】
４０４は記憶部でＲＡＭのような半導体メモリにより構成されており、後述する制御部４０６により制御され、需要家にて使用された電気、ガス、水道等の使用量にかかる検針データを記憶する。
【００４３】
４０５は電源部で、リチウム電池等を有する電源回路により構成されており、計量器１０７内の各部に電源電圧を供給する。
【００４４】
４０６は制御部で、マイクロコンピュータ等により構成されており、有線通信部４０１の通信動作、表示部４０２の表示動作、記憶部４０４の記憶動作の制御を行う。
【００４５】
制御部４０６は検出部４０３で検出された電力、ガス、水道等の使用量にかかるデータを検針データに編集し、当該検針データを記憶部４０４に記憶させ、表示部４０２に表示させる。
【００４６】
上位伝送系１０１からのポーリングによる通信の場合、制御部４０６は、子機１０３から送信された各種コマンド等の通信電文を有線通信部４０１にて受信し、検針データ等の通信電文を子機１０３に対して送信する。
【００４７】
一方、地震等の異常や、ガスメータの場合はガス漏れ、異常な温度上昇を検出した場合、制御部３１０は、異常を示す警報信号や検針データ等の通信電文を有線通信部４０１から、計量器１０７からの端末発呼による通信として子機１０３に対して送信する。
【００４８】
次に、本実施例の動作を図５に示す子機１０３のプログラムフロー図を参照しつつ説明する。本プログラムは子機１０３の制御部３１０内の図示しないプログラムメモリ内に記憶され、制御部３１０の動作を制御している。なお、以下には、子機１０３の端末発呼による通信動作の部分についてのみ示すこととする。
【００４９】
計量器１０７は、異常を検出した場合等に、子機１０３に対し端末発呼応を行うよう指示するコマンドを送信する。当該コマンドを受信した子機１０３は親機１０２に対し端末発呼を行う。ここで端末発呼とは、計量器１０７、子機１０３、親機１０２、上位伝送１０１の経路で下位の伝送系から発信される伝送動作をいう。例えば計量器１０７により、異常に過大である計量値が検出された場合、地震が検出された場合、異常な温度上昇が検出された場合、漏電、ガス漏れ、漏水が検出された場合等に当該端末発呼応が行われる。なお、通常の検針データを端末発呼にて通信するようにしてもよい。
【００５０】
計量器１０７から、端末発呼応を行うよう指示するコマンドを子機１０３の有線通信部３０３が受信した場合、制御部３１０は、親機１０２に対し計量器１０７からの電文を送信するため以下の動作に移る。
【００５１】
制御部３１０はまず伝送エラーの回数を係数するカウンタ３０８に伝送エラーの回数Ｎ＝０をプリセットする（ステップ５０１）。
【００５２】
次に、制御部３１０は、キャリア検出部３０２が無線電波のキャリアを検出していないかの判断を行う（ステップ５０２）。キャリア検出部３０２が無線電波のキャリアを検出しない場合、親機１０２が他の子機と通信を行っていないと想定し、制御部３１０は親機１０２に対し無線通信部３０１を介し、計量器１０７からの電文を無線電波にて送信する（ステップ５０３）。その後、通信エラーの有無を判断し（ステップ５０４）、通信エラーがないと判断された場合は一連の通信動作を終了する。上記の通信動作にかかるプロトコルを図６に示す。
【００５３】
一方、ステップ５０２にて、キャリア検出部３０２が無線電波のキャリアを検出したと判断された場合は、親機１０２が他の子機（例えば子機１０４）と通信を行っていると想定し、制御部３１０はカウンタ部３０８の伝送エラー回数Ｎを１加算する（ステップ５０５）。その後、制御部３１０は第一のタイマ３０３に時間Ｔ１を計時させ、時間Ｔ１が経過するまで待機する（ステップ５０６）。ここで時間Ｔ１は、子機・親機間の伝送に要する時間を超える値で、かつ、効率よく通信を行うことができる値が選択されており、子機１０３の記憶部３０７に予め設定されている。
【００５４】
その後、制御部３１０は、カウンタ部３０８により計数された伝送エラー回数Ｎが予め記憶部３０７に設定されたＮ１以上であるかの判断を行う（ステップ５０７）。伝送エラー回数ＮがＮ１以上でないと判断された場合、ステップ５０２に戻り、キャリア検出部３０２が無線電波のキャリアを検出していないかの判断を行う（ステップ５０２）。キャリア検出部３０２が無線電波のキャリアを検出しない場合、親機１０２が他の子機と通信を行っていないと想定し、制御部３１０は親機１０２に対し無線通信部３０１を介し、計量器１０７からの電文を無線電波にて送信する（ステップ５０３）。その後、通信エラーの有無を判断し（ステップ５０４）、通信エラーがないと判断された場合は一連の通信動作を終了する。上記の通信動作にかかるプロトコルを図７に示す。なお、ステップ５０４では一定時間、親機１０２からの返信電文がなかった場合、返信電文が子機１０３に対する電文でなかった場合、ビットエラー等電文の構成に誤りがあった場合等に伝送エラーがあったものと判断される。
【００５５】
上記ステップ５０４にて通信エラーがあったと判断された場合、制御部３１０はカウンタ部３０８の伝送エラー回数Ｎを１加算する（ステップ５０５）。その後、第一のタイマ３０３に時間Ｔ１を計時させ、時間Ｔ１を経過するまで待機する（ステップ５０６）。
【００５６】
その後、制御部３１０は、カウンタ部３０８により計数された伝送エラー回数Ｎが予め記憶部３０７に設定された回数Ｎ１以上であるかの判断を行う（ステップ５０７）。伝送エラー回数Ｎが予め記憶部３０７に設定された回数Ｎ１以上でないと判断された場合、ステップ５０２に戻り、キャリア検出部３０２が無線電波のキャリアを検出していないかの判断を行う（ステップ５０２）。キャリア検出部３０２が無線電波のキャリアを検出しない場合、親機１０２が他の子機と通信を行っていないと想定し、制御部３１０は親機１０２に対し無線通信部３０１を介し、計量器１０７からの電文を無線電波にて送信する（ステップ５０３）。
【００５７】
その後、通信エラーの有無を判断し（ステップ５０４）、通信エラーがないと判断された場合は一連の通信動作を終了する。上記の通信動作にかかるプロトコルを図８に示す。なお、ステップ５０４では一定時間、親機１０２からの返信電文がなかった場合、返信電文が子機１０３に対する電文でなかった場合、ビットエラー等電文の構成に誤りがあった場合等に伝送エラーがあったものと判断される。
【００５８】
また、再度上記ステップ５０４で通信エラーがあったと判断された場合、制御部３１０はカウンタ部３０８の伝送エラー回数Ｎを１加算する（ステップ５０５）。その後、第一のタイマ３０３に時間Ｔ１を計時させ、時間Ｔ１を経過するまで待機する（ステップ５０６）。
【００５９】
その後、制御部３１０は、カウンタ部３０８により計数された伝送エラー回数Ｎが予め記憶部３０７に設定された回数Ｎ１以上であるかの判断を行う（ステップ５０７）。伝送エラー回数Ｎが予め記憶部３０７に設定された回数Ｎ１以上であると判断された場合、制御部３１０は、第二のタイマ３０４に時間Ｔ２を計時させ、時間Ｔ２を経過するまで待機する（ステップ５０８）。ここで時間Ｔ２は、各子機ごと固有の値であり、例えば子機・親機間の伝送に要する時間を超える値である時間Ｔ１の倍数である数値等が、出荷時等に事前に子機１０３の記憶部３０７に予め設定されているものとする。もしくは時間Ｔ２は各子機が有する固有の番号から算出された値であってもよい。例えば子機１０３の記憶部３０７に製造番号を記憶させておき、１つの検針システムに使用される子機の台数で当該製造番号を除したときの剰余を時間Ｔ２としたのでもよい。一例として、子機１０３の製造番号１２３４５であり、当該検針システムに使用される最大台数が４であった場合、当該製造番号１２３４５を４で除した剰余は１であるので、子機１０３の時間Ｔ２は１分となる。また子機１０４の製造番号１２３４６であったとすると、当該製造番号１２３４６を４で除した剰余は２であるので、子機１０４の時間Ｔ２は２分となる。このようにすれば、各子機毎に固有の時間Ｔ２にて再通信を行うことなり、各子機１０３、１０４、１０５、１０６から親機１０２への通信は重複しないようになる。
【００６０】
その後、制御部３１０は、カウンタ部３０８により計数された伝送エラー回数Ｎが予め記憶部３０７に設定された回数Ｎ２以上であるかの判断を行う（ステップ５０９）。伝送エラー回数ＮがＮ２以上でないと判断された場合、ステップ５０２に戻り、キャリア検出部３０２が無線電波のキャリアを検出していないかの判断を行う（ステップ５０２）。キャリア検出部３０２が無線電波のキャリアを検出しない場合、親機１０２が他の子機と通信を行っていないと想定し、制御部３１０は親機１０２に対し無線通信部３０１を介し、計量器１０７からの電文を無線電波にて送信する（ステップ５０３）。その後、通信エラーの有無を判断し（ステップ５０４）、通信エラーがないと判断された場合は一連の通信動作を終了する。上記の通信動作にかかるプロトコルを図９に示す。
【００６１】
上記ステップ５０９で伝送エラー回数Ｎが予め記憶部３０７に設定された回数Ｎ２以上であると判断された場合、制御部３１０は通信を中断し（ステップ５１０）一連の通信動作を終了する。
【００６２】
本実施例を用いれば、複数の無線子機が端末発呼応による通信を行う場合に、各無線子機ごとに固有の時間を計時し、当該固有の時間経過後に通信を行うため、通信失敗となり難い無線検針装置および無線検針システムを提供することができる。
【００６３】
以上のように本発明を用いれば、複数の無線検針装置を有する無線検針システムにおいて、他の無線検針装置による通信との重複に起因する無線検針装置の端末発呼による通信失敗が発生しにくい無線検針装置および無線検針システムを提供することができる。
【図面の簡単な説明】
【００６４】
【図１】本発明にかかる無線検針システムの構成を示す図
【図２】本発明にかかる無線検針システムの親機の内部構成を示す図
【図３】本発明にかかる無線検針システムの子機の内部構成を示す図
【図４】本発明にかかる無線検針システムの計量器の内部構成を示す図
【図５】本発明にかかる無線検針システムの子機のプログラムを示す図
【図６】本発明にかかる無線検針システムの伝送プロトコルを示す図
【図７】本発明にかかる無線検針システムの伝送プロトコルを示す図
【図８】本発明にかかる無線検針システムの伝送プロトコルを示す図
【図９】本発明にかかる無線検針システムの伝送プロトコルを示す図
【符号の説明】
【００６５】
１００    無線検針システム
１０１    上位伝送系
１０２    親機
１０３、１０４、１０５、１０６    子機
１０７、１０８、１０９、１１０    計量器
２０１    通信部
２０２    表示部
２０３    無線通信部
２０４    記憶部
２０５    電源
２０６    制御部
３０１    無線通信部
３０２    キャリア検出部
３０３    タイマ
３０４    タイマ
３０５    表示部
３０６    有線通信部
３０７    記憶部
３０８    カウンタ部
３０９    電源
３１０    制御部
４０１    有線通信部
４０２    表示部
４０３    検出部
４０４    記憶部
４０５    電源
４０６    制御部
【図１】
2010108418.tif 000003
【図２】
2010108418.tif 000004
【図３】
2010108418.tif 000005
【図４】
2010108418.tif 000006
【図５】
2010108418.tif 000007
【図６】
2010108418.tif 000008
【図７】
2010108418.tif 000009
【図８】
2010108418.tif 000010
【図９】
2010108418.tif 000011